(57)【要約】  【課題】無線センサを備えた冷蔵庫が隣接した場合、冷蔵庫外に無線センサの電波が漏れていると、庫内に設置された無線センサの信号を、隣の冷蔵庫内に設置された情報読取装置が送受信してしまい、冷蔵庫として誤動作を起こす原因となることが考えられる。  【解決手段】無線センサおよび情報読取装置が設置されている冷蔵庫貯蔵室内の空間でのみ送受信可能となるよう、貯蔵室内に設置された無線センサから情報読取装置への電波に指向性を持たせる、または無線センサの出力電界強度を調整して、信号の誤受信による誤動作を防止する。【選択図】図７
2006336970.tif 000002
【特許請求の範囲】
【請求項１】
扉付きの断熱筐体である貯蔵室と、前記貯蔵室内を所定の環境条件に創出する環境条件創出装置と、前記貯蔵室内の室内情報を検出する無線センサと、前記無線センサが送信した信号を受信して情報を読み取る情報読取装置と、前記情報読取装置が読み取った情報を取得し、前記環境創出装置の運転を制御する制御手段を備え、さらに前記無線センサと情報読取装置の少なくとも一方に、前記両者における送受信の信号授受を調整する信号調整手段を設け、前記貯蔵室内において前記室内情報の送受信を可能とした貯蔵装置。
【請求項２】
前記信号調整手段として、前記無線センサから前記情報読取装置への電波に指向性を持たせた請求項１に記載の貯蔵装置。
【請求項３】
前記無線センサによる電波放射を、貯蔵室内縦方向の指向性を持つ電波放射とし、前記情報読取装置に、無指向性の受信領域を備えることで、前記貯蔵室内でのみ電波受信を可能とする請求項２に記載の貯蔵装置。
【請求項４】
前記無線センサは無指向性の電波を放射し、前記情報読取装置に、前記無線センサの送信電波を受信できるよう前記貯蔵室内縦方向に指向性を持つ受信領域を、前記貯蔵室内でのみ電波受信を可能とする請求項２に記載の貯蔵装置。
【請求項５】
前記信号調整手段による調整対象を、前記無線センサの出力電界強度とした請求項１に記載の貯蔵装置。
【請求項６】
前記信号調整手段による調整対象を、前記情報読取装置の受信電界強度とした請求項１に記載の貯蔵装置。
【請求項７】
前記無線センサが検出する貯蔵室内情報を、温度、湿度、室内ガス濃度、イオン濃度、光等からなる群より選ばれた少なくとも一つ以上の情報が含まれるものとした請求項１から請求項６のいずれか一項に記載の貯蔵装置。
【請求項８】
前記貯蔵室を複数備え、少なくとも二室に前記無線センサを配置した請求項１から請求項７のいずれか一項に記載の貯蔵装置。
【請求項９】
前記貯蔵室の一つに前記室内情報を検出する前記無線センサを複数設けた請求項１から請求項８のいずれか一項に記載の貯蔵装置。
【発明の詳細な説明】
【技術分野】
【０００１】
本発明は、物品を貯蔵する冷蔵庫等のような貯蔵装置において、貯蔵室内に無線センサを設け、無線センサにより庫内情報を取得して前記貯蔵室内の環境創出（冷却あるいは加温等）のための負荷制御に関するものである。
【背景技術】
【０００２】
近年、温度や湿度等を計測するセンサと無線送信部を一体化した無線センサが提案されている。従来の無線センサを利用した機器としては、複数の場所にそれぞれ無線センサを配置して得られる計測値を集中管理しているものがある（例えば、特許文献１参照）。
【０００３】
図９は特許文献１に記載された従来の無線センサを用いた機器の制御システムのブロック図を示すものである。
【０００４】
図９に示すように、温度センサ１と湿度センサ２でセンサ部３を構成し、必要な情報を切換器４で選択してＡ／Ｄ変換器５に入力する。第一のＣＰＵ６は信号をＡ／Ｄ変換器５から入力して、無線送信部７へ情報信号を出力して送信アンテナ８から送信を行なう。
【０００５】
尚、各構成要素への電力供給は電源９が行なっており、以上の構成要素で複数の各室に設けられた無線センサ送信機１０、１１、１２を構成している。
【０００６】
本体機器１３には受信アンテナ１４が設置されており、無線センサ送信機１０、１１、１２からの情報電波を受信し、無線受信部１５を経由して第二のＣＰＵ１６へ情報信号が入力される。
【０００７】
第二のＣＰＵ１６からは、読取情報により本体機器１３を制御するための信号を、負荷制御手段１７を経由して第一の負荷１８、第二の負荷１９、第三の負荷２０へそれぞれ出力する。
【０００８】
以上のように構成された無線センサを利用した機器について、以下その動作を説明する。
【０００９】
まず、センサ部３の温度センサ１と湿度センサ２で検出された情報（温度や湿度）を、切換器４で選択し、洗濯した必要な情報をアナログ信号としてＡ／Ｄ変換器５に入力する。
【００１０】
次に、Ａ／Ｄ変換器５では信号をアナログからデジタルに変換し、第一のＣＰＵ６に情報を出力する。第一のＣＰＵ６では、情報データに無線センサ送信機１０のＩＤコードなどを付与して、送信データを無線送信部７、送信アンテナ８を経由して所定周波数の電波として本体機器１３に送信する。
【００１１】
本体機器１３側では、各無線センサ送信機１０、１１、１２から送信された情報データを受信アンテナ１４で検出し、無線受信部１５で電波信号をデジタル信号に変換して第二のＣＰＵ１６に出力する。第二のＣＰＵ１６では、無線センサ送信機１０、１１、１２の設置されている場所と、その情報データから機器としての最適な制御方法を判断し、負荷制御装置１７を制御して各負荷１８、１９，２０をそれぞれ動作させる。
【特許文献１】特公平８−６９５５号公報
【発明の開示】
【発明が解決しようとする課題】
【００１２】
しかしながら、上記従来の構成は、冷蔵庫など配線の多い民生機器に用いた場合、信号用配線を無くし、センサが自由に任意の箇所に取付けられる等のメリットは得られるが、無線センサからの電波が設置機器外に漏れることで外部の機器が誤動作を起こしたり、また外部からの無線信号を誤受信して機器が誤動作を起こしたりするなどの課題を有していた。
【００１３】
たとえば、無線センサを用いた冷蔵庫が隣接した場合、冷蔵庫外に無線センサの電波が漏れていると、庫内に設置された無線センサの信号を、隣の冷蔵庫内に設置された情報読取装置が受信してしまい、冷蔵庫として誤動作を起こす原因となることが考えられる。
【００１４】
本発明は、上記従来の課題を解決するもので、無線センサの受信範囲を限定し、無線センサを用いた冷蔵庫が隣接した場合であっても、隣の冷蔵庫に設置された無線センサの信号を誤受信することを防ぐことができることを目的とする。
【課題を解決するための手段】
【００１５】
上記従来の課題を解決するために、本発明の貯蔵装置は、無線センサおよび情報読取装置が設置されている冷蔵庫貯蔵室内の空間でのみ送受信可能となるように、貯蔵室内に設置された無線センサと情報読取装置の送受信電波の授受を調整する信号調整手段を設けたものである。
【００１６】
これによって、無線センサと情報読取装置を設置した貯蔵装置が複数隣接した場合においても、お互いの無線センサからの信号を誤受信することが防止できるものである。
【発明の効果】
【００１７】
本発明の貯蔵装置は、貯蔵室内に無線センサを用い情報読取装置にて信号の送受信を行なう際に、無線センサと情報読取装置が設置された貯蔵装置が複数隣接した場合であっても、無線センサと情報読取装置が設置されている貯蔵室内のみでの信号の送受信と限定することで、隣接する貯蔵装置相互間での信号の授受が防止でき、信頼性の高い信号授受が行なえるものである。
【発明を実施するための最良の形態】
【００１８】
請求項１に記載の発明は、扉付きの断熱筐体である貯蔵室と、前記貯蔵室内を所定の環境条件に創出する環境条件創出装置と、前記貯蔵室内の室内情報を検出する無線センサと、前記無線センサが送信した信号を受信して情報を読み取る情報読取装置と、前記情報読取装置が読み取った情報を取得し、前記環境創出装置の運転を制御する制御手段を備え、さらに前記無線センサと情報読取装置の少なくとも一方に、前記両者における送受信の信号授受を調整する信号調整手段を設け、前記貯蔵室内において前記室内情報の送受信を可能としたものである。
【００１９】
かかる構成とすることにより、送受信信号の過剰出力による貯蔵室外への送信、あるいは貯蔵室外からの受信が抑制でき、貯蔵装置における送受信の信頼性を高めることができる。
【００２０】
請求項２に記載の発明は、前記信号調整手段として、前記無線センサから前記情報読取装置への電波に指向性を持たせたものである。
【００２１】
かかる構成とすることにより、前記無線センサから出力される電波に方向性を持たせることにより、所定の位置に配置されている情報読取装置への受信を確実なものとすることができる。したがって、前記無線センサによる誤方向への送信が防止でき、隣接関係にある複数の貯蔵装置が隣の前記無線センサによる送信によって誤動作することも抑制できる。
【００２２】
請求項３に記載の発明は、前記無線センサによる電波放射を、貯蔵室内縦方向の指向性を持つ電波放射とし、前記情報読取装置に、無指向性の受信領域を備えることで、前記貯蔵室内でのみ電波受信を可能としたものである。
【００２３】
かかる構成とすることにより、貯蔵装置における縦方向での信号の送受信が行なえ、貯蔵室外方向への送信、あるいは貯蔵室外からの信号の受信による貯蔵装置の誤受信動作が防止できる。
【００２４】
請求項４に記載の発明は、前記無線センサが無指向性の電波を放射し、前記情報読取装置に、前記無線センサの送信電波を受信できるよう前記貯蔵室内縦方向に指向性を持つ受信領域を備え、前記貯蔵室内でのみ電波受信を可能とするものである。
【００２５】
かかる構成のように、受信側である情報読取装置側に指向性を持たせたことにより、特定以外の方向からの送信信号を受信することが抑制でき、隣接関係にある複数の貯蔵装置が隣の前記無線センサによる送信を受信して誤動作することも抑制できる。
【００２６】
請求項５に記載の発明は、前記信号調整手段による調整対象を、前記無線センサの出力電界強度としたものである。
【００２７】
かかることにより、前記無線センサの貯蔵装置外への不必要な電波漏れが抑制でき、前記無線センサおよび前記情報読取装置を設置した貯蔵装置同士が隣接した場合であっても、お互いの前記無線センサからの室内情報を誤受信することが防止できる。また、外部への電波漏れが抑制されるため、貯蔵装置外の周辺に位置する他の機器に悪影響を与えることも抑制できる。
【００２８】
請求項６に記載の発明は、前記信号調整手段による調整対象を、前記情報読取装置の受信電界強度としたものである。
【００２９】
かかることにより、前記情報読取装置の受信範囲が調整できる。したがって、例えば貯蔵室内全域または前記貯蔵室内の所定の範囲内のみというように範囲を特定しての前記無線センサからの室内情報の受信を可能とし、貯蔵装置外にある所定以外の無線センサ等の電波を誤受信して誤動作を招くことが防止できる。
【００３０】
請求項７に記載の発明は、前記無線センサが検出する貯蔵室内情報を、温度、湿度、室内ガス濃度、イオン濃度、光等からなる群より選ばれた少なくとも一つ以上の情報が含まれるものとしたものである。
【００３１】
かかることにより、貯蔵室の状態を無線センサに内蔵したセンサで判断することができるので、安価な構成で無線センサが構成でき、用途展開も容易に行なうことができる。
【００３２】
請求項８に記載の発明は、前記貯蔵室を複数備え、少なくとも二室に前記無線センサを配置したものである。
【００３３】
かかる構成とすることにより、複数の貯蔵室の環境創出をそれぞれの室内情報に応じて創出することができ、そのための配線構造も簡素となる。さらに、指向性を持たせた送受信、あるいは送受信出力調整により、同一貯蔵装置内における無線センサからの誤受信も防止できる。
【００３４】
請求項９に記載の発明は、前記貯蔵室の一つに前記室内情報を検出する前記無線センサを複数設けたものである。
【００３５】
かかる構成とすることにより、例えば同一情報を対象とする無線センサであれば、それらを異なる位置に取付けることにより、一つの貯蔵室における分布状況等が把握でき、一層精度の高い貯蔵室管理が可能となる。
【００３６】
以下、本発明の実施の形態について、貯蔵装置を冷蔵庫として図面を参照しながら説明するが、従来例と同一構成については同一符号を付して、その詳細な説明は省略する。尚、この実施の形態によって本発明が限定されるものではない。
【００３７】
（実施の形態１）
図１は、本発明の実施の形態１における貯蔵装置としての冷蔵庫の構成図である。図２は、同実施の形態１における冷蔵庫の機能ブロック図である。図３は、同実施の形態１における冷蔵庫の無線センサの制御構成を示すブロック図である。図４は、同実施の形態１における冷蔵庫の無線センサおよび情報読取装置の電波送受信指向を示す図である。
【００３８】
図１において、冷蔵庫は、断熱筐体からなる冷蔵庫本体２１と、それぞれ貯蔵室として機能する第一の冷蔵室２２と第二の冷蔵室２３と冷凍室２４を備えている。第一の冷蔵室２２は第一の冷蔵室扉２５を、第二の冷蔵室２３は第二の冷蔵室扉２６を、冷凍室２４は冷凍室扉２７をそれぞれ備え、周知の如く各扉２５、２６、２７を閉めることで前記各貯蔵室内の冷気が貯蔵室外と触れることがないように密閉される。
【００３９】
尚、前記各貯蔵室内の環境創出としての冷気を作り出す冷凍サイクル３３は、周知の如く圧縮機、凝縮器、キャピラリチューブ、蒸発器（いずれも図示せず）の閉回路で構成され、冷蔵庫本体２１の内部に搭載されている。
【００４０】
第一の冷蔵室２２の中には、第一の無線センサ２８が、第二の冷蔵室２３の中には第二の無線センサ２９が、冷凍室２４の中には第三の無線センサ３０がそれぞれ任意の位置に埋設されている。また、必要に応じて各無線センサ２８、２９、３０を移動が可能な据え置き状態で配置しても良い。さらに、各無線センサ２８、２９、３０の送信信号をアンテナ３１ａより受信して情報を読み取る情報読取装置３１は、第一の冷蔵室２２内における任意の位置に埋設されている。
【００４１】
尚、本実施の形態においては、情報読取装置３１を第一の冷蔵室２２としたが、無線センサ２８、２９、３０からの信号が受信できる範囲であれば、冷蔵庫の何処の位置に埋設あるいは配置しても良い。
【００４２】
次に、本実施の形態における冷蔵庫の室内状態の概略制御内容について、図２の機能ブロック図を用いて説明する。
【００４３】
情報読取装置３１が無線センサ２８、２９、３０から読み取った室内情報は、制御手段３２に入力され、ここで最適な庫内状態を保つための運転パターンが判断される。その後、冷凍サイクル３３を構成する部品（例えば圧縮機）、及び貯蔵室内に冷気を送り出す冷気循環手段３４（例えば送風ファン）に運転信号を出力し、貯蔵室内の状態を制御する。
【００４４】
次に、図３に基づき無線センサ２８、２９、３０の構成について説明する。ここでは、各無線センサ２８、２９、３０が、それぞれ同一のもので、検出する情報として温度、湿度、ＣＯ２等のガス濃度の三種類を検出するものとして説明する。
【００４５】
図３において、まず、各貯蔵室の室内情報である温度、湿度、室内ガス濃度が、無線センサ２８、２９、３０に内蔵されたセンサ部で検出される。前記検出された情報は、従来の無線センサと同様に、Ａ／Ｄ変換器５、第一のＣＰＵ６、無線送信部７、送信アンテナ８を経由して情報読取装置３１に送信される。また、電源９も従来と同様に各構成要素に電力を供給している。
【００４６】
以上のように構成された冷蔵庫について、図４を基に冷蔵庫庫内の電波状況について説明する。
【００４７】
一般に、電波の送受信には、電波の波長や、送受信機のアンテナ形状により、電波放射の方向性や、電波の受信領域の特性が変化する指向性を有する（電波の指向性は周波数が高くなる程強く直進性があり、指向性の有するアンテナとしてパラボラアンテナや八木アンテナなどが挙げられる）ことが知られている。本実施の形態における情報読取装置３１および各無線センサ２８、２９、３０には、かかる周知の手法、構成を取り入れ、送受信電波の指向、出力等の調整値が設定される。この詳細については、本発明の主旨としないため、説明を省略する。
【００４８】
図４において、無線センサ２８、２９、３０の電波を受信する情報読取装置３１は、第一の冷蔵室２２の天面に設置され、装置を中心に円形の受信領域である受信指向３８を有する。この情報読取装置３１の受信指向３８は、全方位より受信可能なため無指向性となる。
【００４９】
一方、前記室内情報である温度、湿度、室内ガス濃度を検出し、検出データを電波送信する無線センサ２８、２９、３０は、それぞれの電波指向３５、３６、３７に示すように、それぞれ無線センサ２８、２９、３０が設置されている場所より上側、即ち、情報読取装置３１に向かって電波を送信しており、狭い楕円形状で示される指向性の高い電波放射となる。
【００５０】
したがって、無線センサ２８、２９、３０と情報読取装置３１の通信領域は、電波指向３５、３６、３７と受信指向３８の交わる領域であり、冷蔵庫本体２１の庫内（第一の冷蔵室２２内）または冷蔵庫本体２１外の上方に通信領域が形成され、その通信領域内でのみ情報の送受信が可能となる。
【００５１】
以上のように、本実施の形態においては、無線センサ２８、２９、３０は冷蔵庫の庫内縦方向の指向性を持つ電波を放射し、情報読取装置３１は、無指向性の受信領域を備えることで、冷蔵庫の庫内、または冷蔵庫本体２１の外の上方での電波の送受信を可能とするため、同一仕様の無線センサと情報読取装置を備えた冷蔵庫が隣接した場合であっても、お互いの無線センサの信号を誤受信することを防ぐことが出来る。
【００５２】
（実施の形態２）
次に、図５により本発明における実施の形態２について説明する。図５は、本実施の形態２における貯蔵装置としての冷蔵庫の無線センサおよび情報読取装置の電波送受信指向を示す図である。なお、先の実施の形態１と同一構成については、同一符号を付してその詳細な説明は省略する。また、送受信電波の指向、出力等の調整についても先の実施の形態と同様であるため、説明を省略する。
【００５３】
図５において、各無線センサ２８、２９、３０の電波を受信する情報読取装置３１は、第一の冷蔵室２２の天面に設置され、設置位置より下方向に向けて受信指向３８を有している。すなわち冷蔵庫本体２１の庫内縦方向となる楕円の受信領域である受信指向３８を有する。
【００５４】
この受信指向３８は、情報読取装置３１の設置位置より下側でのみ受信可能な指向性を有する。
【００５５】
一方、室内情報である温度、湿度、室内ガス濃度を検出し検出データを電波送信する無線センサ２８、２９、３０は、それぞれの電波指向３５、３６、３７に示すように、それぞれ各無線センサ２８、２９、３０が設置されている場所を中心に、所定の範囲を持った円形となる無指向性の電波放射となる。したがって、設置個所によっては一部（冷蔵庫外にはみ出た電波指向３５、３６、３７の円）が冷蔵庫本体２１外へ電波漏れすることも確認される。
【００５６】
しかし、情報読取装置３１は、設置位置より下方向に向けて受信指向３８を持つため、電波指向３５、３６、３７と受信指向３８の交わる領域である各無線センサ２８、２９、３０と情報読取装置３１の通信領域は、冷蔵庫の庫内のみに形成され、その通信領域内でのみ情報の送受信が可能となる。
【００５７】
以上のように、本実施の形態においては、各無線センサ２８、２９、３０が、冷蔵庫本体２１内における縦方向の指向性を持つ電波を放射し、情報読取装置３１が、無指向性の受信領域を備えることで、冷蔵庫の庫内のみで電波の送受信を可能とすることができる。
【００５８】
したがって、同様の無線センサと情報読取装置を備えた冷蔵庫が隣接した場合においても、お互いの無線センサの信号を誤受信することを防ぐことができる。
【００５９】
（実施の形態３）
次に図６および図７により本発明における実施の形態３について説明する。図６は、本実施の形態３における貯蔵装置としての冷蔵庫の無線センサの出力電界強度特性図、図７は、同実施の形態３における冷蔵庫の無線センサおよび情報読取装置の電波送受信指向を示す図である。尚、先の実施の形態１及び実施の形態２と同一構成については、同一符号を付してその詳細な説明は省略する。また、送受信電波の指向、出力等の調整についても先の実施の形態と同様であるため、説明を省略する。
【００６０】
図６において、例えば微弱無線は電波法により周波数によって図示するように無線装置から出力される電界強度の許容値が定められている。また、無線装置からの出力電界強度は電波の放射距離にも関係するため、本実施の形態における各無線センサ２８、２９、３０は同じ周波数帯ｆ［Ｈｚ］に対して、出力電界強度をそれぞれＰ１、Ｐ２、Ｐ３（Ｐ１＜Ｐ２＜Ｐ３）［μＶ／ｍ］と差をつけている。なお、この周波数設定については、それぞれの無線センサの電波が異なる周波数としてもかまわない。
【００６１】
図７において、各無線センサ２８、２９、３０の電波を受信する情報読取装置３１は、実施の形態２と同様に第一の冷蔵室２２天面に設置され、その設置位置より下方向に受信指向３８を有する。
【００６２】
また、室内情報である温度、湿度、室内ガス濃度を検出し検出データを電波送信する無線センサ２８、２９、３０は、先の実施の形態１と同様、それぞれ無線センサ２８、２９、３０が設置されている場所より上側に、即ち情報読取装置３１に向かって電波を送信しており、狭い楕円形状で示される指向性の高い電波放射となる。
【００６３】
加えて、図６に示すように各無線センサ２８、２９、３０からの出力電界強度はＰ１〜Ｐ３（Ｐ１＜Ｐ２＜Ｐ３）［μＶ／ｍ］と差があるため、電波放射距離も異なり、その結果、電波指向３５、３６、３７の距離も異なる。即ち、情報読取装置３１に一番近い、第一の冷蔵室２２に備えられている第一の無線センサ２８における電波指向３５の距離が一番短く、情報読取装置３１から一番遠い、冷凍室２７に備えられている第三の無線センサ３０における電波指向３７の距離が一番長いものとなる。
【００６４】
したがって、各無線センサ２８、２９、３０の電波は冷蔵庫本体２１の外に漏れることがなく、冷蔵庫庫内のみに各無線センサ２８、２９、３０と情報読取装置３１の通信領域が形成され、その通信領域内でのみ情報の送受信が可能となる。
【００６５】
以上のように、本実施の形態においては、各無線センサ２８、２９、３０の設置個所や情報読取装置３１までの距離によって、図６に示すように出力電界強度に差をつけることで、各無線センサ２８、２９、３０の電波指向３５、３６、３７の距離に差を持たせることができ、先の実施の形態１および実施の形態２と比べ、冷蔵庫外への無駄な電波漏れを抑制でき、同様の無線センサと情報読取装置を備えた冷蔵庫が隣接した場合においても、お互いの無線センサの信号を誤受信することを防ぐことができる。また、冷蔵庫外への無駄な電波漏れを抑制は、冷蔵庫外の他の機器への悪影響を防ぐことにもつながる。
【００６６】
（実施の形態４）
次に、図８により本発明における実施の形態４について説明する。図８は、本実施の形態４における貯蔵装置としての冷蔵庫の無線センサおよび情報読取装置の電波送受信指向を示す図である。尚、先の実施の形態１から実施の形態３と同一の構成については、同一の符号を付してその詳細な説明は省略する。また、送受信電波の指向、出力等の調整についても先の実施の形態と同様であるため、説明を省略する。
【００６７】
図８において、各無線センサ２８、２９、３０は、第一の冷蔵室２２の中において異なる場所に設置されており、先の実施の形態１から実施の形態３と同様に、冷蔵庫庫内のみで各無線センサ２８、２９、３０の電波の送受信が可能なように、各無線センサ２８、２９、３０の出力電界強度Ｐ１、Ｐ２、Ｐ３やそれぞれの電波指向３５、３６、３７が調整され、また情報読取装置３１も実施の形態１から実施の形態３と比べて受信電界強度を低く調整し、第一の冷蔵室２２内に備えられた無線センサ２８、２９、３０の電波のみを受信できるように受信指向３８の領域が形成されている。
【００６８】
以上のように、本実施の形態においては、一つの貯蔵室２２内に複数の無線センサ２８、２９、３０を設置し、各無線センサ２８、２９、３０および情報読取装置３１の送受信の電界強度と指向性を調整することで、それぞれの無線センサ２８、２９、３０が例えば温度検知を行った場合、温度センサの配線が不要で容易に貯蔵室の温度を多点検知することができる。
【００６９】
したがって、前記貯蔵室の温度状況を精度良く把握することができ、冷蔵庫の冷却精度向上に貢献でき、また電波の誤受信による誤動作を防ぐことが出来る。
【００７０】
なお、本実施の形態においては、無線センサ３０を備えた制御機器として、冷蔵庫を例に説明したが、冷温貯蔵が可能な貯蔵装置、あるいは所定空間内の環境を所定の条件に維持するハウス設備等においても同様に適用できるものである。
【００７１】
また、熱源の創出についても、ヒートポンプに限るものではなく、ペルチェ素子等を用いた電子冷凍、気体燃料あるいは液体燃料を用いての熱源装置であっても良い。
【００７２】
さらに、被測定情報についても、温度に限らず、湿度、ガス、イオン、光等のように電気信号に変換できる物質を対象とする測定体であれば同様に検出、制御ができるものである。
【産業上の利用可能性】
【００７３】
以上のように、本発明にかかる貯蔵装置は、家庭用又は業務用冷蔵庫に対して実施することはもちろん、室内情報を得て最適運転を行なう保存庫や空気調和機等の用途にも適用できる。
【図面の簡単な説明】
【００７４】
【図１】本発明の実施の形態１における貯蔵装置としての冷蔵庫の構成図
【図２】同実施の形態の冷蔵庫の機能ブロック図
【図３】同実施の形態の冷蔵庫における無線センサの制御構成を示すブロック図
【図４】同実施の形態の冷蔵庫における無線センサおよび情報読取装置の電波送受信指向を示す図
【図５】本発明の実施の形態２における貯蔵装置としての冷蔵庫の無線センサおよび情報読取装置の電波送受信指向を示す図
【図６】本発明の実施の形態３における貯蔵装置としての冷蔵庫の無線センサの出力電界強度特性図
【図７】同実施の形態の冷蔵庫における無線センサおよび情報読取装置の電波送受信指向を示す図
【図８】本発明の実施の形態４における貯蔵装置としての冷蔵庫の無線センサおよび情報読取装置の電波送受信指向を示す図
【図９】従来の無線センサを用いた機器の制御システムのブロック図
【符号の説明】
【００７５】
２１  冷蔵庫本体
２２  第一の冷蔵室
２３  第二の冷蔵室
２４  冷凍室
２５  第一の冷蔵室扉
２６  第二の冷蔵室扉
２７  冷凍室扉
２８  第一の無線センサ
２９  第二の無線センサ
３０  第三の無線センサ
３１  情報読取装置
３２  制御手段
３３  圧縮機（冷凍サイクル）
３４  送風ファン（冷気循環手段）
３５  第一の無線センサの電波指向
３６  第二の無線センサの電波指向
３７  第三の無線センサの電波指向
３８  受信指向
【図１】
2006336970.tif 000003
【図２】
2006336970.tif 000004
【図３】
2006336970.tif 000005
【図４】
2006336970.tif 000006
【図５】
2006336970.tif 000007
【図６】
2006336970.tif 000008
【図７】
2006336970.tif 000009
【図８】
2006336970.tif 000010
【図９】
2006336970.tif 000011